(57)【要約】【課題】１台の測定器本体を持ち回って複数の例えばピコネットから測定データを収集するにあたって、その都度、各測定ユニットから識別子を取得することなく、測定ユニットとの接続を効率よく行えるようにする。【解決手段】ピコネットＰＮ１内で測定ユニット２０ａ，２０ｂ，２０ｃから識別子を取得するとともに、各測定ユニットにユニット番号を割り当てて、ユニット番号と識別子とを関連付けたピコネットＰＮ１用のユニット設定ファイルを作成し、同様に、ピコネットＰＮ２内で測定ユニット２０ｄ，２０ｅ，２０ｆから識別子を取得するとともに、各測定ユニットにユニット番号を割り当てて、ユニット番号と識別子とを関連付けたピコネットＰＮ２用のユニット設定ファイルを作成し、以後は、各ピコネットごとにユニット設定ファイルを読み出し、そのユニット番号を指定して測定ユニットとの通信を行う。【選択図】図４
2014042134.tif 000002
【特許請求の範囲】
【請求項１】
所定の物理量を測定する複数の測定ユニットと、上記各測定ユニットにて測定された測定データを所定に処理する測定器本体とを含み、上記各測定ユニットと上記測定器本体とが無線通信手段により双方向通信可能に接続され、上記測定器本体からの測定開始信号に基づいて上記各測定ユニットで測定が行われ、それらの測定データが逐次上記測定器本体に収集される測定装置であって、
上記測定器本体は、上記各測定ユニットを特定して通信を行う上で、上記各測定ユニットに対して所定のユニット番号を設定するユニット番号設定機能と、ユニット設定ファイルとを含み、
上記測定器本体は、上記無線通信の電波が届く各通信エリアごとに、その通信エリア内に存在する上記測定ユニットから、その測定ユニットにあらかじめ割り当てられている固有の識別子を取得するとともに、上記ユニット番号設定機能にて上記識別子を取得した測定ユニットごとに所定のユニット番号を設定して、上記設定したユニット番号と上記識別子とを関連付けて上記ユニット設定ファイルに保存し、以後は、上記各通信エリアごとに、上記ユニット設定ファイルを読み出し、そのユニット番号を指定して上記測定ユニットとの通信を行うことを特徴とする測定装置。
【請求項２】
上記ユニット設定ファイルには、上記測定ユニットについての付帯情報が付加されることを特徴とする請求項１に記載の測定装置。
【請求項３】
上記無線通信手段として、ブルートゥース（Ｂｌｕｅｔｏｏｔｈ），ジグビー（Ｚｉｇｂｅｅ）もしくは無線ＬＡＮのいずれか一つが適用されることを特徴とする請求項１に記載の測定装置。
【発明の詳細な説明】
【技術分野】
【０００１】
本発明は、複数個所に配置されている測定ユニットにて測定された測定データを測定器本体に収集して所定の処理を行う測定装置に関し、さらに詳しく言えば、測定器本体と測定ユニット間を無線で接続してなる測定装置に関するものである。
【背景技術】
【０００２】
例えば、店舗やオフィス等として提供される室内の空調設計においては、その室内の天井，壁面および床面等に、温度計測のためのデータロガーと呼ばれる温度測定ユニットを配置し、それら温度測定ユニットにて測定された測定データをマスター機器としての測定器本体に収集し、室内の温度分布等を解析するようにしている。
【０００３】
各測定ユニットからデータを収集する場合、通常は、特許文献１に記載されているように、測定ユニットを測定器本体にドッキングさせたり、測定ユニットと測定器本体とを配線にて接続するようにしている。また、別の方法としてＳＤカード等にてデータを収集する方法も知られている。
【０００４】
しかしながら、測定ユニットを測定器本体にドッキングする方法では、測定ユニットを設置場所から外して測定器本体にまで持ち運ぶ必要がある。また、ＳＤカード等にてデータを収集する方法にしても、作業者が各測定ユニットの設置場所に行く必要があり、いずれにしても時間と手間がかかる。
【０００５】
測定ユニットと測定器本体とを配線にて接続する方法によれば、測定器本体にリアルタイムで測定データを収集することができるが、特に測定ユニットの数が多い場合、その配線作業に手間がかかる。
【０００６】
また、配線長が長い場合には、その分配線コストがかかるし、接続ポートへの差し違い等による誤配線やノイズが混入しやすくなる、といった問題が生ずる。また、測定ユニットの追加や削除が行いにくい。
【先行技術文献】
【特許文献】
【０００７】
【特許文献１】特開２０１１−１８７６８６号公報
【発明の概要】
【発明が解決しようとする課題】
【０００８】
上記した配線にまつわる問題は、測定ユニットと測定器本体とを無線ＬＡＮにより接続すれば解決することができる。簡易に構築できる無線ＬＡＮの一つに、２．４ＧＨｚ帯の電波を利用したブルートゥース（Ｂｌｕｅｔｏｏｔｈ：登録商標）通信があり、パソコン通信やオーディオ機器通信、それに各種の携帯端末機器に使用されている。
【０００９】
ブルートゥース通信により構築されるネットワークはピコネットと呼ばれており、ピコネット内の測定ユニットから測定データを収集するにあたって、測定器本体（マスター機器）は、測定ユニット（スレーブ機器）にあらかじめ設定されている固有の識別子（アドレスとも言う）を取得し、その識別子により測定ユニットを特定して通信を行う。
【００１０】
この点は他の無線通信でも同様であるが、ピコネットが複数存在し、それら各ピコネットを１台の測定器本体で対応する場合、その都度、各ピコネット内の測定ユニットから識別子を取得することは煩雑な作業が強いられ好ましくない。
【００１１】
したがって、本発明の課題は、測定器本体と各測定ユニットとを無線ネットワークで接続してなる測定装置で、１台の測定器本体を持ち回って各ネットワークから測定データを収集するにあたって、その都度、各測定ユニットから識別子を取得することなく、測定ユニットとの接続を効率よく行えるようにすることにある。
【課題を解決するための手段】
【００１２】
上記課題を解決するため、本発明は、所定の物理量を測定する複数の測定ユニットと、上記各測定ユニットにて測定された測定データを所定に処理する測定器本体とを含み、上記各測定ユニットと上記測定器本体とが無線通信手段により双方向通信可能に接続され、上記測定器本体からの測定開始信号に基づいて上記各測定ユニットで測定が行われ、それらの測定データが逐次上記測定器本体に収集される測定装置であって、
上記測定器本体は、上記各測定ユニットを特定して通信を行う上で、上記各測定ユニットに対して所定のユニット番号を設定するユニット番号設定機能と、ユニット設定ファイルとを含み、上記測定器本体は、上記無線通信の電波が届く各通信エリアごとに、その通信エリア内に存在する上記測定ユニットから、その測定ユニットにあらかじめ割り当てられている固有の識別子を取得するとともに、上記ユニット番号設定機能にて上記識別子を取得した測定ユニットごとに所定のユニット番号を設定して、上記設定したユニット番号と上記識別子とを関連付けて上記ユニット設定ファイルに保存し、以後は、上記各通信エリアごとに、上記ユニット設定ファイルを読み出し、そのユニット番号を指定して上記測定ユニットとの通信を行うことを特徴としている。
【００１３】
好ましい態様として、上記ユニット設定ファイルには、上記測定ユニットについての付帯情報（例えば、ＩＰアドレスや測定項目等）が付加される。
【００１４】
また、上記無線通信手段として、ブルートゥース（Ｂｌｕｅｔｏｏｔｈ：登録商標），ジグビー（Ｚｉｇｂｅｅ：登録商標）もしくは無線ＬＡＮのいずれか一つが好ましく適用される。
【発明の効果】
【００１５】
本発明によれば、測定器本体と複数の測定ユニットとで構築される無線ネットワークが複数存在し、それら各ネットワークを１台の測定器本体で対応する測定装置において、各ネットワークごとにユニット設定ファイルを読み出し、そのユニット設定ファイルに設定されているユニット番号を指定することにより、測定ユニットとの接続を効率よく行うことができる。
【図面の簡単な説明】
【００１６】
【図１】ブルートゥースにより構築されるピコネットを示すイメージ図。
【図２】本発明で用いられる測定器本体の構成を示すブロック図。
【図３】本発明で用いられる測定ユニットの構成を示すブロック図。
【図４】測定器本体と異なる通信エリア内の測定ユニットとの通信状態を示す模式図。
【図５】ユニット設定ファイルの一例を示すファイル構成図。
【図６】ユニット設定ファイルの別の例を示すファイル構成図。
【発明を実施するための形態】
【００１７】
次に、図１ないし図６により、本発明の実施形態について説明するが、本発明はこれに限定されるものではない。
【００１８】
図１に、本発明の実施形態として、マスター機器としての１台の測定器本体１０に対して、スレーブ機器としての複数台（この例では７台）の測定ユニット２０ａ〜２０ｇを例えばブルートゥース（Ｂｌｕｅｔｏｏｔｈ）にて双方向通信可能に接続した無線ネットワークを示す。なお、各測定ユニット２０ａ〜２０ｇを特に区別する必要がない場合には、総称として測定ユニット２０とする。
【００１９】
ブルートゥースは、２．４ＧＨｚ帯の電波を利用した短距離間での音声信号やデータ通信を実現する通信技術で、主に低コスト、低消費電力を特徴として小型の通信デバイスに適用されている。なお、ブルートゥースのほかに、２．４ＧＨｚ帯の電波を利用した短距離無線通信にはジグビー（Ｚｉｇｂｅｅ：登録商標）がある。
【００２０】
ブルートゥースの規格によれば、１台の測定器本体（マスター機器）１０に接続できる測定ユニット（スレーブ機器）２０の台数が、図１に示すように、最大７台として制限されており、ブルートゥースによる無線ネットワークは「ピコネット」と呼ばれている。
【００２１】
図２を参照して、測定器本体１０は、動作主体としてのマイクロコンピュータ等からなる制御部１１を備える。制御部１１には、上記ピコネット内で測定ユニット２０との通信を行う通信モジュール１２が接続されている。この実施形態において、通信モジュール１２はブルートゥース仕様であるが、ジグビーもしくは無線ＬＡＮが適用されてもよい。
【００２２】
また、制御部１１には、各種の操作条件等を設定する設定部１３、外部機器との通信を行うインタフェース１４、測定データや測定ユニット２０のアドレス等を保存する記憶部１５および液晶パネル等の表示部１６が接続されている。
【００２３】
図３を参照して、測定ユニット２０は、基本的な構成として、所定の物理量を測定するセンサ２１、マイクロコンピュータ等からなる制御部２４および通信モジュール２５を備える。通信モジュール２５には、測定器本体１０に採用されているのと同じ仕様の通信モジュールが用いられる。
【００２４】
なお、制御部２４のメモリ等には、測定器本体１０側で測定ユニット２０を識別するために、測定ユニット２０に割り当てられた識別子が書き込まれている。この識別子の一例として、ブルートゥースの場合にはＢｌｕｅｔｏｏｔｈアドレス、無線ＬＡＮの場合にはＭＡＣアドレスが採用される。
【００２５】
センサ２１には、温度センサ，湿度センサ，電流センサ，電圧センサ，それに振動や加速度を検出するセンサ等が用いられてよいが、複数のセンサ２１を備え、測定チャンネルを多チャンネルとして、各測定チャンネルの測定データをスキャンして取り込むこともできる。
【００２６】
センサ２１にて測定された物理量（測定データ）は増幅器２２で所定に増幅されたのち、Ａ／Ｄコンバータ２３にてデジタルデータに変換されて制御部２４に入力され、制御部２４は、通信モジュール２５を介して１データごともしくは複数データをまとめて測定器本体１０に送信する。
【００２７】
測定器本体１０の制御部１１は、各測定ユニット２０から送信された測定データを所定に処理し、好ましくはリアルタイムで表示部１６に表示し、記憶部１５への保存やインタフェース１４を介して外部機器（例えばパソコン）との通信を行う。
【００２８】
次に、図４に示すように、一例として、２つのピコネットＰＮ１，ＰＮ２が存在し、ピコネットＰＮ１内には３台の測定ユニット２０ａ〜２０ｃが含まれ、また、ピコネットＰＮ２内には同様に３台の測定ユニット２０ｄ〜２０ｆが含まれ、これに対して測定器本体１０は１台で、測定器本体１０を持ち回って、その各ピコネットＰＮ１，ＰＮ２内の測定ユニット２０から測定データを収集する場合について説明する。
【００２９】
なお、ピコネットＰＮ１，ＰＮ２は、先にも説明したようにブルートゥースにより構築されることから、その通信距離はたかだか１０数ｍ程度であり、各ピコネットＰＮ１，ＰＮ２は、それ以上離れた例えば異なるフロア等に存在しているものとする。
【００３０】
また、各測定ユニット２０には、個々の測定ユニット２０を識別するためのブルートゥースデバイスアドレスが設定されており、この例において、各測定ユニット２０には、次の括弧内に示すアドレスが設定されている。
測定ユニット２０ａ（ＸＸ：ＸＸ：ＸＸ：４ｄ：ｂ９：３ａ）
測定ユニット２０ｂ（ＸＸ：ＸＸ：ＸＸ：４ｄ：ｂ９：３ｂ）
測定ユニット２０ｃ（ＸＸ：ＸＸ：ＸＸ：４ｄ：ｂ９：３ｃ）
測定ユニット２０ｄ（ＸＸ：ＸＸ：ＸＸ：４ｄ：ｂ９：３ｄ）
測定ユニット２０ｅ（ＸＸ：ＸＸ：ＸＸ：４ｄ：ｂ９：３ｅ）
測定ユニット２０ｆ（ＸＸ：ＸＸ：ＸＸ：４ｄ：ｂ９：３ｆ）
なお、上記アドレスおよび図６（ａ）のＭＡＣアドレス中のＸＸ：ＸＸ：ＸＸは、製造元等を示すコードである。
【００３１】
本発明では、測定器本体１０と各測定ユニットとの接続を効率よく行うため、測定器本体１０より各ピコネットＰＮ１，ＰＮ２内の測定ユニット２０に対してユニット番号（ＵｎｉｔＮｏ．）を割り当て、ユニット設定ファイルを作成する。
【００３２】
そのため、まず、例えばピコネットＰＮ１内に測定器本体１０を持ち込んで、測定器本体１０と測定ユニット２０ａ，２０ｂ，２０ｃとに電源を入れてブルートゥース通信を確立する。
【００３３】
通信が確立したのち、測定器本体１０は、測定ユニット２０ａ，２０ｂ，２０ｃの各々から上記したブルートゥースアドレスを取得するとともに、測定ユニット２０ａ，２０ｂ，２０ｃにユニット番号を割り当てる。
【００３４】
この例では、測定ユニット２０ａをＵｎｉｔＮｏ．１，測定ユニット２０ｂをＵｎｉｔＮｏ．２，測定ユニット２０ｃをＵｎｉｔＮｏ．３とし、このユニット番号とブルートゥースアドレスとを関連付けて、測定器本体１０の記憶部１５に保存し、図５（ａ）に示すようなピコネットＰＮ１用のユニット設定ファイルを作成する。
【００３５】
次に、ピコネットＰＮ２内に測定器本体１０を持ち込み、上記と同様にして、測定ユニット２０ｄ，２０ｅ，２０ｆの各々から上記したブルートゥースアドレスを取得するとともに、測定ユニット２０ｄ，２０ｅ，２０ｆにユニット番号を割り当てる。
【００３６】
ユニット番号の割り当てはユーザーが任意に決めることができ、この例では、ユニット番号を飛び番として、測定ユニット２０ｄをＵｎｉｔＮｏ．３，測定ユニット２０ｅをＵｎｉｔＮｏ．７，測定ユニット２０ｆをＵｎｉｔＮｏ．１とし、このユニット番号とブルートゥースアドレスとを関連付けて、測定器本体１０の記憶部１５に保存し、図５（ｂ）に示すようなピコネットＰＮ２用のユニット設定ファイルを作成する。
【００３７】
これによれば、測定器本体１０をピコネットＰＮ１に持ち込んで測定データを収集する際には、図５（ａ）のピコネットＰＮ１用ユニット設定ファイルを開き、また、測定器本体１０をピコネットＰＮ２に持ち込んで測定データを収集する際には、図５（ｂ）のピコネットＰＮ２用ユニット設定ファイルを開くことにより、その都度、各測定ユニット２０から識別子としてのブルートゥースアドレスを取得することなく、ユニット番号を指定するだけで測定器本体１０と各測定ユニットとの接続を効率よく行うことができる。
【００３８】
なお、無線ＬＡＮの場合には、図６（ａ）に示すように、測定ユニット２０の識別子としてＭＡＣアドレスが採用され、その他の情報として、例えばＩＰアドレスを付帯させることもできる。
【００３９】
また、図６（ｂ）に示すように、その他の情報を測定ユニット２０の測定項目とし、例えばＵｎｉｔＮｏ．１は「外気温度」測定、ＵｎｉｔＮｏ．３，７は「室内温度」測定であることを付帯させこともできる。
【符号の説明】
【００４０】
１０  測定器本体（マスター機器）
１１  制御部
１２  通信モジュール
１３  設定部
１４  インターフェイス
１５  記憶部
１６  表示部
２０（２０ａ〜２０ｇ）  測定ユニット（スレーブ機器）
２１  センサ
２４  制御部
２５  通信モジュール
【図１】
2014042134.tif 000003
【図２】
2014042134.tif 000004
【図３】
2014042134.tif 000005
【図４】
2014042134.tif 000006
【図５】
2014042134.tif 000007
【図６】
2014042134.tif 000008